【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
可撓性を有する基材と、該基材の一の面に設定された主パターン領域と計測パターン領域、を有し、
前記主パターン領域には、ライン形状の主凸パターンあるいは主凹パターンが所望のスペースを介して複数配列され構成された主パターンが位置し、
前記計測パターン領域には、ライン形状の単位凸パターンあるいは単位凹パターンが所望のスペースを介して複数配列され構成された計測パターンが位置し、個々の前記単位凸パターン、個々の前記単位凹パターンは、光学顕微鏡による観察が不可能であるが、前記計測パターンは、前記光学顕微鏡により観察可能な部位を有し、 
前記主パターンのライン方向と、前記計測パターンのライン方向とが等しいことを特徴とするローラーインプリント用モールド。
【請求項２】
前記主パターンを構成するライン形状の主凸パターンあるいは主凹パターンのライン幅と、前記計測パターンを構成するライン形状の単位凸パターンあるいは単位凹パターンのライン幅とが等しいことを特徴とする請求項１に記載のローラーインプリント用モールド。
【請求項３】
前記計測パターン領域は、前記主パターン領域の外郭線の内側に位置する領域を少なくとも有することを特徴とする請求項１または請求項２に記載のローラーインプリント用モールド。
【請求項４】
前記主パターン領域と前記計測パターン領域との距離が１００μｍ以下であることを特徴とする請求項１乃至請求項３のいずれかに記載のローラーインプリント用モールド。
【請求項５】
前記計測パターンを構成するライン形状の単位凸パターンあるいは単位凹パターンの中心線と、該中心線の延長線上に位置する前記主パターンを構成するライン形状の主凸パターンあるいは主凹パターンの中心線との位置ずれが、前記計測パターンを構成するライン形状の単位凸パターンあるいは単位凹パターンのライン幅の半分未満であることを特徴とする請求項１乃至請求項４のいずれかに記載のローラーインプリント用モールド。
【請求項６】
前記基材は、樹脂フィルムであることを特徴とする請求項１乃至請求項５のいずれかに記載のローラーインプリント用モールド。
【請求項７】
一方の面に凹凸構造を有する可撓性のローラーインプリント用モールドの前記凹凸構造を有する面を、前記凹凸構造が形成されていない面からローラーで加圧することにより、転写基板の一方の面に位置する被成形樹脂層に圧着させる圧着工程と、
前記ローラーインプリント用モールドに圧着させた前記被成形樹脂層を硬化させることにより前記凹凸構造が転写された転写樹脂層とする硬化工程と、
前記転写樹脂層と前記ローラーインプリント用モールドを引き離すことにより、前記転写樹脂層であるパターン構造体を前記転写基板上に位置させた状態とする離型工程と、を有し、
前記ローラーインプリント用モールドは、請求項１乃至請求項６のいずれかに記載のローラーインプリント用モールドを使用し、前記圧着工程では、前記ローラーインプリント用モールドの前記主パターンのライン方向に沿って、前記ローラーインプリント用モールドを前記被成形樹脂層に圧着させることを特徴とするインプリント方法。
【請求項８】
前記離型工程では、前記ローラーインプリント用モールドの前記主パターンのライン方向に沿って、前記転写樹脂層と前記ローラーインプリント用モールドとを引き離すことを特徴とする請求項７に記載のインプリント方法。
【請求項９】
透明基板と、該透明基板の一の面に位置するワイヤーグリッド材料層と、該ワイヤーグリッド材料層に設定されたワイヤーグリッド領域と計測パターン領域と、を有し、
前記ワイヤーグリッド材料層の前記ワイヤーグリッド領域には、ライン形状の主開口部が所望のスペースを介して複数配列され構成されたワイヤーグリッドが位置し、
前記ワイヤーグリッド材料層の前記計測パターン領域には、ライン形状の単位開口部が所望のスペースを介して複数配列され構成された計測パターンが位置し、個々の前記単位開口部は、光学顕微鏡による観察が不可能であるが、前記計測パターンは、前記光学顕微鏡により観察可能な部位を有し、 
前記主開口部のライン方向と、前記単位開口部のライン方向とが等しく、また、前記主開口部のライン幅と、前記単位開口部のライン幅とが等しいことを特徴とするワイヤーグリッド偏光子。
【請求項１０】
前記計測パターン領域は、前記ワイヤーグリッド領域の外郭線の内側に位置する領域を少なくとも有することを特徴とする請求項９に記載のワイヤーグリッド偏光子。
【請求項１１】
前記ワイヤーグリッド領域と前記計測パターン領域との距離が１００μｍ以下であることを特徴とする請求項９または請求項１０に記載のワイヤーグリッド偏光子。
【請求項１２】
前記単位開口部の中心線と、該中心線の延長上に位置する前記主開口部の中心線との位置ずれが、前記単位開口部のライン幅の半分未満であることを特徴とする請求項９乃至請求項１１のいずれかに記載のワイヤーグリッド偏光子。
【請求項１３】
一方の面に凹凸構造を有する可撓性のローラーインプリント用モールドの前記凹凸構造を有する面を、前記凹凸構造が形成されていない面からローラーで加圧することにより、一の面にワイヤーグリッド材料層を備える透明基板の該ワイヤーグリッド材料層上に位置するエッチングレジスト層に圧着させる圧着工程と、
前記ローラーインプリント用モールドに圧着させた前記エッチングレジスト層を硬化させることにより前記凹凸構造が転写されたレジストパターン層とする硬化工程と、
前記レジストパターン層と前記ローラーインプリント用モールドを引き離す離型工程と、
前記レジストパターン層をエッチングマスクとして前記ワイヤーグリッド材料層をエッチングすることにより、ワイヤーグリッドを構成するライン形状の主開口部と、計測パターンを構成するライン形状の単位開口部を形成するエッチング工程と、を有し、
前記ローラーインプリント用モールドは、請求項２に記載のローラーインプリント用モールドを使用し、
前記圧着工程では、前記ローラーインプリント用モールドの前記主パターンのライン方向に沿って、前記ローラーインプリント用モールドを前記エッチングレジスト層に圧着させ、前記離型工程では、前記ローラーインプリント用モールドの前記主パターンのライン方向に沿って、前記レジストパターン層と前記ローラーインプリント用モールドを引き離すことを特徴とするワイヤーグリッド偏光子の製造方法。
【手続補正２】
【補正対象書類名】明細書
【補正対象項目名】発明の名称
【補正方法】変更
【補正の内容】
【発明の名称】ローラーインプリント用モールドとインプリント方法およびワイヤーグリッド偏光子とその製造方法
【手続補正３】
【補正対象書類名】明細書
【補正対象項目名】０００７
【補正方法】変更
【補正の内容】
【０００７】
このような目的を達成するために、本発明のローラーインプリント用モールドは、可撓性を有する基材と、該基材の一の面に設定された主パターン領域と計測パターン領域、を有し、前記主パターン領域には、ライン形状の主凸パターンあるいは主凹パターンが所望のスペースを介して複数配列され構成された主パターンが位置し、前記計測パターン領域には、ライン形状の単位凸パターンあるいは単位凹パターンが所望のスペースを介して複数配列され構成された計測パターンが位置し、個々の前記単位凸パターン、個々の前記単位凹パターンは、光学顕微鏡による観察が不可能であるが、前記計測パターンは、前記光学顕微鏡により観察可能な部位を有し、前記主パターンのライン方向と、前記計測パターンのライン方向とが等しいような構成とした。
【手続補正４】
【補正対象書類名】明細書
【補正対象項目名】０００８
【補正方法】変更
【補正の内容】
【０００８】
本発明の他の態様として、前記主パターンを構成するライン形状の主凸パターンあるいは主凹パターンのライン幅と、前記計測パターンを構成するライン形状の単位凸パターンあるいは単位凹パターンのライン幅とが等しいような構成とした。
本発明の他の態様として、前記計測パターン領域は、前記主パターン領域の外郭線の内側に位置する領域を少なくとも有するような構成とした。
【手続補正５】
【補正対象書類名】明細書
【補正対象項目名】００１０
【補正方法】変更
【補正の内容】
【００１０】
本発明のインプリント方法は、一方の面に凹凸構造を有する可撓性のローラーインプリント用モールドの前記凹凸構造を有する面を、前記凹凸構造が形成されていない面からローラーで加圧することにより、転写基板の一方の面に位置する被成形樹脂層に圧着させる圧着工程と、前記ローラーインプリント用モールドに圧着させた前記被成形樹脂層を硬化させることにより前記凹凸構造が転写された転写樹脂層とする硬化工程と、前記転写樹脂層と前記ローラーインプリント用モールドを引き離すことにより、前記転写樹脂層であるパターン構造体を前記転写基板上に位置させた状態とする離型工程と、を有し、前記ローラーインプリント用モールドは、上述の本発明のローラーインプリント用モールドを使用し、前記圧着工程では、前記ローラーインプリント用モールドの前記主パターンのライン方向に沿って、前記ローラーインプリント用モールドを前記被成形樹脂層に圧着させるような構成とした。
【手続補正６】
【補正対象書類名】明細書
【補正対象項目名】００１１
【補正方法】変更
【補正の内容】
【００１１】
本発明の他の態様として、前記離型工程では、前記ローラーインプリント用モールドの前記主パターンのライン方向に沿って、前記転写樹脂層と前記ローラーインプリント用モールドとを引き離すような構成とした。
【手続補正７】
【補正対象書類名】明細書
【補正対象項目名】００１２
【補正方法】変更
【補正の内容】
【００１２】
本発明のワイヤーグリッド偏光子は、透明基板と、該透明基板の一の面に位置するワイヤーグリッド材料層と、該ワイヤーグリッド材料層に設定されたワイヤーグリッド領域と計測パターン領域と、を有し、前記ワイヤーグリッド材料層の前記ワイヤーグリッド領域には、ライン形状の主開口部が所望のスペースを介して複数配列され構成されたワイヤーグリッドが位置し、前記ワイヤーグリッド材料層の前記計測パターン領域には、ライン形状の単位開口部が所望のスペースを介して複数配列され構成された計測パターンが位置し、個々の前記単位開口部は、光学顕微鏡による観察が不可能であるが、前記計測パターンは、前記光学顕微鏡により観察可能な部位を有し、前記主開口部のライン方向と、前記単位開口部のライン方向とが等しく、また、前記主開口部のライン幅と、前記単位開口部のライン幅とが等しいような構成とした。
本発明の他の態様として、前記計測パターン領域は、前記ワイヤーグリッド領域の外郭線の内側に位置する領域を少なくとも有するような構成とした。
【手続補正８】
【補正対象書類名】明細書
【補正対象項目名】００１３
【補正方法】変更
【補正の内容】
【００１３】
本発明の他の態様として、前記ワイヤーグリッド領域と前記計測パターン領域との距離が１００μｍ以下であるような構成とした。
本発明の他の態様として、前記単位開口部の中心線と、該中心線の延長上に位置する前記主開口部の中心線との位置ずれが、前記単位開口部のライン幅の半分未満であるような構成とした。
【手続補正９】
【補正対象書類名】明細書
【補正対象項目名】００１４
【補正方法】変更
【補正の内容】
【００１４】
本発明のワイヤーグリッド偏光子の製造方法は、一方の面に凹凸構造を有する可撓性のローラーインプリント用モールドの前記凹凸構造を有する面を、前記凹凸構造が形成されていない面からローラーで加圧することにより、一の面にワイヤーグリッド材料層を備える透明基板の該ワイヤーグリッド材料層上に位置するエッチングレジスト層に圧着させる圧着工程と、前記ローラーインプリント用モールドに圧着させた前記エッチングレジスト層を硬化させることにより前記凹凸構造が転写されたレジストパターン層とする硬化工程と、前記レジストパターン層と前記ローラーインプリント用モールドを引き離す離型工程と、前記レジストパターン層をエッチングマスクとして前記ワイヤーグリッド材料層をエッチングすることにより、ワイヤーグリッドを構成するライン形状の主開口部と、計測パターンを構成するライン形状の単位開口部を形成するエッチング工程と、を有し、前記ローラーインプリント用モールドは、請求項２に記載のローラーインプリント用モールドを使用し、前記圧着工程では、前記ローラーインプリント用モールドの前記主パターンのライン方向に沿って、前記ローラーインプリント用モールドを前記エッチングレジスト層に圧着させ、前記離型工程では、前記ローラーインプリント用モールドの前記主パターンのライン方向に沿って、前記レジストパターン層と前記ローラーインプリント用モールドを引き離すような構成とした。
【手続補正１０】
【補正対象書類名】明細書
【補正対象項目名】００３０
【補正方法】変更
【補正の内容】
【００３０】
上述のインプリント用モールドは例示であり、本発明はこれらの実施形態に限定されるものではない。上述の実施形態では、ライン形状の単位凸パターンが所望のスペースを介して複数配列され構成された計測パターンの外形形状が十字形状であるが、この計測パターンの外形形状は、十字形状に限定されるものではない。例えば、図１０に示されるように、矢印Ｂで示される方向に延設されたライン形状の単位凸パターン４８ａを所望のスペースを介して複数配列し、同じく矢印Ｂで示される方向に延設されたライン形状の単位凸パターン４８ｂを所望のスペースを介して複数配列し、この２種の単位凸パターンにより、計測パターン４７の外形形状が口形状に構成されたものであってもよい。また、図１１に示すように、矢印Ｂで示される方向に延設され、かつ、切欠きが多数設けられたライン形状の単位凸パターン５８ａを所望のスペースを介して複数配列し、同じく矢印Ｂで示される方向に延設され、かつ、切欠きが多数設けられたライン形状の単位凸パターン５８ｂを所望のスペースを介して複数配列し、この２種の単位凸パターンにより、計測パターン５７の外形形状が十字形状に構成されたものであってもよい。尚、図１０、図１１では、単位凸パターン４８ａ，４８ｂ、単位凸パターン５８ａ，５８ｂには斜線を付して示している。